(57)【要約】      （修正有）【課題】導電性フィルムに設けられたアンテナパターンのインピーダンスを抑制しつつ、視認性を向上させる。【解決手段】近距離無線通信用のアンテナパターンが設けられたフィルム基材上で、前記アンテナパターン２４は、良導電性を有する金属により形成され、３周から５周のループ線状に形成され、長さが２００〜５００ｍｍであり、隣り合う各ループ線２５ａ〜２５ｅ間の間隔は２００〜４００μｍであり、線幅は４〜２０μｍであり、かつ、最大負荷持のインピーダンスが５０Ω以下となるよう厚さが下記数式（１）により算出される値に設定されている。厚さ＝比抵抗×長さ／（インピーダンス×幅）・・・式（１）【選択図】図４
2017175338.tif 000002
【特許請求の範囲】
【請求項１】
フィルム基材と、
前記フィルム基材の一方の面に良導電性を有する金属によりパターン形成された近距離無線通信用のアンテナパターンと、を有し、
前記アンテナパターンが、各両端部が前記フィルム基材の端縁に位置し、中心に空きエリアを有するように前記空きエリアの周囲を取り巻く複数の線状ループとして形成された導電性フィルムにおいて、
前記アンテナパターンは、長さが２００〜５００ｍｍであり、隣り合う各ループ線間の間隔は２００〜４００μｍであり、線幅は４〜２０μｍであり、かつ、最大負荷時のインピーダンスが５０Ω以下となるよう厚さが下記数式（１）により算出される値に設定されていることを特徴とする導電性フィルム。
厚さ＝比抵抗×長さ／（インピーダンス×線幅）・・・式（１）
【請求項２】
前記導電性フィルムは、前記フィルム基材が前記アンテナパターンに対応する大きさに形成され、かつ前記フィルム基材に前記アンテナパターンが設けられてなる複数の導電性フィルムが、前記アンテナパターンが一致するように複数枚積層されてなり、かつ、
前記アンテナパターンの厚さに積層数を掛けた合計の厚さが請求項１の最大負荷時のインピーダンスが５０Ω以下となる厚さに設定されていることを特徴とする請求項１に記載の導電性フィルム。
【請求項３】
前記アンテナパターンの各ループ線がなす形状は四角形、三角形、または円形のいずれかの形状であることを特徴とする請求項１または請求項２に記載の導電性フィルム。
【請求項４】
請求項１ないし請求項３のいずれか１つの請求項に記載の導電性フィルムの他方の面に、Ｘ方向およびＹ方向のタッチ位置を検出するための電極パターンが設けられ、前記他方の面にカバーパネルが重ねられていることを特徴とするタッチパネル。
【請求項５】
請求項１ないし請求項３のいずれか１つの請求項に記載の導電性フィルムが別の導電性フィルムをさらに有し、Ｘ方向のタッチ位置およびＹ方向のタッチ位置を検出する一対の電極パターンが前記別の導電性フィルムの両面に分配して設けられ、前記別の導電性フィルムが、前記導電性フィルムの前記アンテナパターンが形成された面とは反対側の面に重ねられ、さらにカバーパネルが前記別の導電性フィルムに重ねられていることを特徴とするタッチパネル。
【発明の詳細な説明】
【技術分野】
【０００１】
本発明は、視認性を向上させることができる導電性フィルムおよびタッチパネルに関する。
【背景技術】
【０００２】
近年タッチパネルは、静電容量式タッチパネルが主流となっており、１０〜１５インチの大型タッチパネルには小型タッチパネル（５〜８インチ）と同等の感度を得るために、低抵抗体である銅や銀を使用したメッシュ状のパターンを形成し、感度の良い、透過性に優れた透明のタッチパネルが量産されている。
【０００３】
一般的には、基材の表面にセンサー用パターン、裏面にドライブ用パターンを形成した２層構成のものが知られている。また、センサーの製造工程を簡略化し、低価格で製造できる片面にドライブとセンサーパターンを形成した１層タイプのパターンも考案されている。
【０００４】
このようなパターンに対応する座標検出ＩＣを使用することで、１層タイプの静電タッチパネル反対側にアンテナパターンを配置でき、タッチセンサーとアンテナの機能の両方を併せ持つ、安価なタッチセンサーを提供できる。また、アンテナパターンをタッチパネルに内蔵することで、従来外付けで提供されていた近距離無線通信用アンテナの読取部やブルートゥースアンテナ部のスペースを節約でき、より小型の機器を提供することができる。
【０００５】
タッチパネル等に用いられる導電性フィルムとして、ポリエステルフィルム等のプラスチックフィルム上にアンテナパターンが形成されたものが知られている。
【０００６】
このような導電性フィルムにおいて、アンテナパターンのインピーダンスを抑制することが顧客側より要求されている。例えば、特許文献１には導電性メッシュの幅や厚み等を規定し、厚みが小さい場合であっても良好な表面抵抗値と透過率を得られる導電性フィルムについて開示されている。
【先行技術文献】
【特許文献】
【０００７】
【特許文献１】特許５３２１１５１号公報
【発明の概要】
【発明が解決しようとする課題】
【０００８】
しかしながら、特許文献１に記載された導電性フィルムは視認性を良好にすることを目的とするものでなく、視認性が良好なものであるかは不明である。
【０００９】
また、アンテナパターンのインピーダンスを低下させるには、例えばパターン幅を大きくすることでパターン断面積を増加させる方法が考えられる。しかし、パターン幅を大きくすると、タッチパネルの視認性が悪くなる問題がある。パターン幅を大きくすると肉眼でアンテナパターンが視認されてしまい、ディスプレイ上の表示等に対する視認性が悪くなるためである。
【００１０】
本発明はこのような問題を解決するためになされたもので、導電性フィルムに設けられたアンテナパターンのインピーダンスを抑制しつつ、視認性を向上させることができる導電性フィルムおよびこれを備えたタッチパネルを提供することを目的とする。
【課題を解決するための手段】
【００１１】
本発明に係る導電性フィルムは、上記目的を達成するため、フィルム基材と、前記フィルム基材の一方の面に良導電性を有する金属によりパターン形成された近距離無線通信用のアンテナパターンと、を有し、前記アンテナパターンが、各両端部が前記フィルム基材の端縁に位置し、中心に空きエリアを有するように前記空きエリアの周囲を取り巻く複数の線状ループとして形成された導電性フィルムにおいて、前記アンテナパターンは、長さが２００〜５００ｍｍであり、隣り合う各ループ線間の間隔は２００〜４００μｍであり、線幅は４〜２０μｍであり、かつ、最大負荷時のインピーダンスが５０Ω以下となるよう厚さが下記数式（１）により算出される値に設定されていることを特徴とする導電性フィルム。
厚さ＝比抵抗×長さ／（インピーダンス×線幅）・・・式（１）
【００１２】
この構成により、アンテナパターンは良導電性を有する金属で形成され、厚さは、インピーダンスが５０Ω以下となるよう設定される。また、アンテナパターンは、３周から５周のループ線に形成され、長さが２００〜５００ｍｍであり、隣り合う各ループ線間の間隔は２００〜４００μｍであり、線幅は４〜２０μｍである。したがって、フィルム基材に設けられたアンテナパターンのインピーダンスを抑制しつつ、視認性を向上させることができる。
【００１３】
上述した構成の導電性フィルムにおいて、前記フィルム基材が前記アンテナパターンに対応する大きさに形成され、かつ前記フィルム基材に前記アンテナパターンが設けられてなる複数の導電性フィルムが、前記アンテナパターンが一致するように複数枚積層されてなり、かつ、前記アンテナパターンの厚さに積層数を掛けた合計の厚さが請求項１の最大負荷時のインピーダンスが５０Ω以下となる厚さに設定されるよう構成してもよい。
【００１４】
この構成により、各フィルム基材のアンテナパターンの厚さの自由度を向上させることができる。
【００１５】
上述した構成の導電性フィルムにおいて、前記アンテナパターンの各ループ線がなす形状は四角形、三角形、または円形のいずれかの形状であるよう構成してもよい。この構成により、タグ側の形状にあわせたアンテナパターンの選択が可能となる。
【００１６】
本発明に係るタッチパネルは、上記の導電性フィルムの他方の面に、Ｘ方向およびＹ方向のタッチ位置を検出するための電極パターンが設けられ、前記他方の面にカバーパネルが重ねられるよう構成した。この構成により、導電性フィルムが１枚の簡単な構造になり、製造工程を簡略化できるので製造コストを低減できる。
【００１７】
また、本発明に係るタッチパネルは、上述した導電性フィルムが別の導電性フィルムをさらに有し、Ｘ方向のタッチ位置およびＹ方向のタッチ位置を検出する一対の電極パターンが前記別の導電性フィルムの両面に分配して設けられ、前記別の導電性フィルムが、前記導電性フィルムの前記アンテナパターンが形成された面とは反対側の面に重ねられ、さらにカバーパネルが前記別の導電性フィルムに重ねられているよう構成した。
【００１８】
この構成により、一対の電極パターンを両面に分配して設けることができるので、片面に設ける場合に比べて各電極パターンを簡単な構成にすることができる。
【発明の効果】
【００１９】
本発明によれば、導電性フィルムに設けられたアンテナパターンのインピーダンスを抑制しつつ、導電性フィルムおよびタッチパネルの視認性を向上させることができる。
【図面の簡単な説明】
【００２０】
【図１】本発明の実施の形態に係るタッチパネルを示し、図１（ａ）は概略正面図であり、図１（ｂ）は概略背面図である。
【図２】本発明の実施の形態に係るタッチパネルの図１（ｂ）におけるＡ−Ａ断面図である。
【図３】本発明の実施の形態に係るタッチパネルの図１（ｂ）におけるＢ−Ｂ断面図である。
【図４】本発明の実施の形態に係るアンテナパターンおよび巻き数設定回路の概略構成図である。
【図５】本発明の実施の形態に係るアンテナパターンの変形例を示す説明図である。
【図６】本発明の実施の形態に係るタッチパネルの変形例を示す概略背面図である。
【図７】本発明の実施の形態に係るタッチパネルの変形例を示す分解構成図である。
【図８】本発明の実施の形態に係るタッチパネルの変形例を示す分解構成図である。
【発明を実施するための形態】
【００２１】
以下、本実施の形態に係るタッチパネルについて図１〜図７を参照して説明する。
【００２２】
図１（ａ）は第１の実施形態に係るタッチパネル１０の概略正面図であり、図１（ｂ）はその概略背面図である。図１（ｂ）に示すように、第１の実施形態に係るタッチパネル１０はフィルム基材２１と、カバーパネル２２と、フィルム基材２１の一方の面にパターン形成されたアンテナパターン２４と、アンテナパターン２４にフレキシブルプリント配線板２６を介して接続された巻き数設定回路３０と、を備えている。導電性フィルム１１はフィルム基材２１とアンテナパターン２４とで構成されている。アンテナパターン２４は、導電性フィルム１１のタッチ操作有効範囲５３内に配置されている。また、フィルム基材２１の他方の面には、図１（ａ）に示すように、指によるタッチ操作の位置を静電容量方式で検知するための電極パターン２３が設けられている。
【００２３】
タッチパネル１０は、アンテナパターン２４と巻き数設定回路３０とで構成されるループアンテナ２９を用いて、通信相手とＲＦＩＤなどによる近距離無線通信を行い、非接触で情報を送受するよう構成されている。通信相手は、例えば、交通機関用の乗車カード、電子決済用のＩＣカード、データ通信用のＩＣチップを搭載した携帯電話などである。
【００２４】
図２は図１（ｂ）のＡ−Ａ断面図である。図２に示すように、フィルム基材２１の下面にアンテナパターン２４が設けられ、上面に電極パターン２３が設けられ、その上にカバーパネル２２が貼付されており、これら全体をセンサーパネル２０と称する。フィルム基材２１の上面には、電極パターン２３の他に、空中での入力方向を検知するための方向検知用センサーパターンやブルートゥース用アンテナパターンを設けるようにしてもよい。
【００２５】
図１（ｂ）に示すように、巻き数設定回路３０は、ループアンテナ２９を構成するアンテナパターン２４の端部に、フレキシブルプリント配線板（ＦＰＣ）２６およびＦＰＣコネクタ２７を介して接続されている。図３は、図１（ｂ）のＢ−Ｂ断面図である。図３に示すように、電極パターン２３もまた、同じフレキシブルプリント配線板２６を介して制御部４０（図４参照）に接続されている。また、電極パターン２３をフレキシブルプリント配線板２６とは別のフレキシブルプリント配線板で制御部４０に接続するようにしてもよい。
【００２６】
巻き数設定回路３０は、アンテナパターン２４に接続され、所望巻き数のループアンテナ２９として機能するように巻き数を設定するようになっている。具体的には、巻き数設定回路３０は、複数の配線およびジャンパスイッチを有し、ループ線２５ａ〜２５ｅと選択的に接続することで１〜５回の所望の巻き数を得るようになっている。
【００２７】
フィルム基材２１は、例えば、矩形薄板状のポリエチレンテレフタラート（ＰＥＴ）製フィルム基材である。カバーパネル２２は、ガラス製またはポリカーボネート（ＰＣ）製、アクリル樹脂（ＰＭＭＡ）製の薄板状部材である。
【００２８】
電極パターン２３は、電気抵抗の小さい銅または銀を材料として、エッチング、蒸着、スクリーン印刷、フォトリソグラフィ等の技術を単独または組み合わせて用いてフィルム基材２１上にパターン形成されている。パターンの線幅は、液晶画面等の表示部の表示を妨害しないように、例えば数μｍないし数十μｍ程度にして、パターン自体を視認し難く、表示部の表示を見えやすくするようにしている。
【００２９】
電極パターン２３は、センサーパネル２０上でのタッチ操作のＸ軸方向の位置であるタッチ位置を検知するための電極パターンと、Ｙ軸方向の位置であるタッチ位置を検知するための電極パターンと、それらから信号を取り出すための配線パターンと、を有している。
【００３０】
電極パターン２３によるタッチ操作の位置の検出は、センサーパネル２０の表面に指を近づけると、近づけた部分の電極の静電容量が変化することを利用している。Ｘ軸方向およびＹ軸方向のそれぞれについて、この静電容量の変化を検出し、指のＸＹ座標、すなわちセンサーパネル２０内での位置を特定する構成となっている。
【００３１】
アンテナパターン２４は、その両端部２４ｂ、２４ｃがフィルム基材２１の端縁に位置し、中心に空きエリア２４ａを有するように空きエリア２４ａの周囲を複数条のループ線状となるように取り巻いて形成されている。具体的には、アンテナパターン２４は、図４に示すように最大巻き数に等しい本数の線状導体であるループ線２５ａ、２５ｂ、２５ｃ、２５ｄ、２５ｅが矩形形状の空きエリア２４ａの周りに互いに所定の間隔をあけて配置されている（後述）。本実施形態では、アンテナパターン２４の最大巻き数は５であり、よってアンテナパターン２４は５本の線状導体であるループ線２５ａ〜２５ｅを有しているが、例えば最大巻き数は３巻き、４巻き、６巻き等としてもよい。
【００３２】
アンテナパターン２４は、電気抵抗が小さく良導電性である銅または銀を材料として、エッチング、蒸着、スクリーン印刷、フォトリソグラフィ等の技術を単独または組み合わせて用いてフィルム基材２１上の一方の面にパターン形成されている。製造を容易にする観点から、アンテナパターン２４は、電極パターン２３と同様の方法で形成されるのが好ましい。パターンの線幅は、液晶画面等の表示部の表示を妨害しないように、約４μｍ〜２０μｍ程度にして、パターン自体を視認し難くしている。また、アンテナパターン２４は、上記方法でフィルム基材２１上に直接形成する他にも、他のフィルム基材にパターン形成したものをフィルム基材２１に貼付するようにしてもよい。
【００３３】
本実施形態では、アンテナパターン２４の空きエリア２４ａは矩形形状であるが、空きエリア２４ａの形状はこれに限定されない。図５に示すように、通信相手のアンテナ形状等に応じて、円形の空きエリア５０ａを有するアンテナパターン５０、三角形の空きエリア５１ａを有するアンテナパターン５１、菱形の空きエリア５２ａを有するアンテナパターン５２等、任意の形状のアンテナパターンを採用できる。
【００３４】
また、図６に示すようにタッチパネル６０のフィルム基材６１には、アンテナパターン６４を複数備えるようにしてもよい。
【００３５】
また、図７に示すように導電性フィルム８０が２枚のフィルム基材、すなわちフィルム基材７２とフィルム基材７３を積層してなるよう構成してもよい。フィルム基材７２の両面に、タッチ操作の位置を検出するための一対の電極パターン７４が分配して設けられている。またフィルム基材７２には、空中での入力を検知するための方向検知用センサーパターン７７およびブルートゥース用アンテナパターン７６が付与されている。フィルム基材７３のフィルム基材７２と接する面と反対側の面には近距離無線通信用のアンテナパターン７５が形成されている。導電性フィルム７２およびフィルム基材７３は、例えば、矩形薄板状のポリエチレンテレフタラート（ＰＥＴ）製フィルム基材である。フィルム基材７２の上部には、ガラス製またはポリカーボネート（ＰＣ）製、アクリル樹脂（ＰＭＭＡ）製のカバーパネル７１が積層されて、全体としてタッチパネル８１を構成する。
【００３６】
また、変形例として図８に示すように導電性フィルム１１ａ〜１１ｃは、フィルム基材２１ａ〜２１ｃがアンテナパターン２４ａ〜２４ｃに対応する大きさに形成され、かつフィルム基材２１ａ〜２１ｃにアンテナパターン２４ａ〜２４ｃが設けられてなる導電性フィルム１１ａ〜１１ｃが、アンテナパターン２４ａ〜２４ｃが一致するよう複数枚積層されている。本実施例では３枚の導電性フィルム１１ａ〜１１ｃを積層しているが積層する導電性フィルムの枚数は必ずしもこれに限られない。
【００３７】
このとき、アンテナパターンの厚さに積層枚数を掛けた合計の厚さは、最大負荷時のインピーダンスが５０Ω以下となるよう後述する式（１）で求まる厚さに設定される。このように、複数の導電性フィルムを積層するのは、フォトリソグラフィ等によりアンテナパターンを形成する際に、１枚の導電性フィルムでは所望の厚さを得られない場合があるためであり、積層することで厚さを確保するためである。
【００３８】
導電性フィルムを積層する場合は、各導電性フィルムは電気的に接続されている必要がある。この接続は外部のＦＰＣコネクタによって行ってもよいし、フィルム基材にスルーホールを設け導電材料を充填することで行ってもよい。
【００３９】
以下、各実施例を用いて比較例と対比しながら、より詳細に本発明について説明するが、本発明はこれらの実施例によって限定されるものではない。図１〜図７を用いて説明した導電性フィルム２１に設けられたアンテナパターン２４について長さ、間隔、線幅、厚さを所定の範囲内で変化させ視認性の評価を行った。
【００４０】
アンテナパターン２４の長さとは、図４に示すループ線２５ａ〜２５ｅのうち実際に使用されるループ線（同図の例では通常３周分から５周分）の総長である。この長さが長いほど、後述するアンテナパターン２４のインピーダンスが大きくなり、他のパラメータに対する制約が大きくなる。本実施例および比較例ではアンテナパターン２４の長さとして２００〜５００ｍｍの間で変更可能ではあるが、インピーダンスの条件が最も厳しい大き目の長さとして５００ｍｍの場合について検討を行った。
【００４１】
アンテナパターン２４の線幅とは、図４に示す各ループ線２５ａ〜２５ｅの幅である。アンテナパターン２４の線幅が大きいと視認性を悪化させ、線幅が小さいと視認性は良好となる。線幅は加工上の制約より４μｍ以上とする必要がある。本実施例および比較例ではアンテナパターン２４の線幅として１０〜３０μｍの場合について比較検討を行った。
【００４２】
アンテナパターン２４の厚さとは図２に示すアンテナパターン２４の各ループ線２５ａ〜２５ｅの厚さである。アンテナパターン２４の厚さは、視認性には基本的に影響しない。一方、アンテナパターン２４の断面積、すなわち線幅と厚さとの積が小さい程、後述するアンテナパターン２４のインピーダンスが大きくなる。
【００４３】
本実施例および比較例ではアンテナパターン２４の厚さとして５〜２０μｍの場合について比較検討を行ったが、アンテナパターン２４の厚さを決定するにあたっては以下の式（１）を満たすようにした。
厚さ＝比抵抗×長さ／（インピーダンス×線幅）・・・式（１）
【００４４】
アンテナパターン２４の間隔とは図４に示す隣り合う各ループ線２５ａ〜２５ｅ間の間隔である。この間隔が短いと、アンテナパターン２４の線幅が小さくても幅方向に密となり視認性を悪化させる方向に働く。一方、アンテナパターン２４の間隔が大きいと視認性は良好となる一方アンテナ効率が低下する。本実施例および比較例ではアンテナパターン２４の間隔として１００〜７００μｍの場合について比較検討を行った。
【００４５】
アンテナパターン２４の材質は、低抵抗体であるものが望ましく本実施例では銅および銀を用いた。銀と銅は両材料とも低抵抗材料であり、フォトリソグラフィ等も用いることで狭配線が可能である。但し、設備コスト・生産コストを考えた場合、より安価なスクリーン印刷、エッチングによる狭配線化が最良である。
【００４６】
銅の場合はスクリーン印刷になり、一般的にライン幅を数十μｍ幅で製造することは難しいが、エッチングにより狭配線化が可能である。これにより製造は容易となり視認性に優れたアンテナパターン２４の設計ができる。
【００４７】
アンテナパターン２４のインピーダンスは顧客の要望する仕様により定まるが、最大負荷時で５０Ω以下とされる場合が多く、本実施例でも５０Ω以下とした。アンテナパターン２４のインピーダンスは以下の式（Ａ）で計算される。
インピーダンス＝比抵抗×（長さ／断面積）・・・式（Ａ）
【００４８】
ここで比抵抗は銅の場合１．６７×１０−８Ωｍ、銀の場合１．５９×１０−８Ωｍである。また長さは前述したアンテナパターン２４の長さ、断面積はアンテナパターン２４の断面積であり線幅と厚さとの積である。
【００４９】
上記の考え方でアンテナパターン２４の線幅、長さ、厚み、間隔を各種値に設定した導電性フィルム２１について、インピーダンスと視認性を評価した。その結果を表１に示す。なお、表１に示す実施例、比較例は全てアンテナパターンの材質は銅としたが、より低抵抗の銀を用いても良い。
【００５０】
視認性の評価は導電性フィルム１１にカバーパネル２２を付けた状態でアンテナパターン２４が視認できるか否かを調べるものであり、目視によるものである。視認性が良好、すなわち全く視野に入らないものは〇印、○印より若干視野に入るものを△印、悪かったもの、すなわち視野に入り邪魔となってしまうものについては×印とした。またインピーダンスの評価については仕様を満たす５０Ω未満であると○印、５０Ω超であると×印とした。
【００５１】
【表１】
2017175338.tif 000003
比較例１〜３は、アンテナパターンが長さ５００ｍｍ、線幅１０μｍ、間隔２００μｍである場合に厚さを５〜１５μｍに変化させた例である。これらの例では、視認性については良好であった。一方、アンテナパターンのインピーダンスが順に１７２Ω、８６Ω、５７Ωとなりいずれも５０Ωを超えた。
【００５２】
実施例１は、アンテナパターン２４の厚さを比較例１〜３より大きい２０μｍとした例である。実施例１ではアンテナパターン２４のインピーダンスが５０Ω以下で視認性も良好となっている。
【００５３】
比較例４は、アンテナパターンの線幅を比較例１〜３より大きい２０μｍとした例である。比較例４は、視認性については良好であった。一方、アンテナパターンのインピーダンスは５０Ωを超えた。
【００５４】
実施例２〜４はアンテナパターン２４の線幅を２０μｍとし、厚さを順に１０μｍ、１５μｍ、２０μｍとした。実施例２〜４ではアンテナパターン２４のインピーダンスが５０Ω以下で視認性も良好となっている。
【００５５】
比較例５〜８はアンテナパターンの線幅を２５μｍとし、厚さを順に５μｍ、１０μｍ、１５μｍ、２０μｍとした。比較例５のみ、アンテナパターンのインピーダンスが５０Ω超となったが、他の比較例はいずれも５０Ω以下であった。しかしながら、比較例５〜８のいずれもアンテナパターンの視認性は良好、すなわち視野に全く入らないとは言えず、普通であった。実施例２〜４と比較例５〜８とを比較すると視認性が良好であるアンテナパターンの線幅の上限は２０μｍと考えられる。
【００５６】
比較例９〜１２はアンテナパターンの線幅を３０μｍとし、厚さを順に５μｍ、１０μｍ、１５μｍ、２０μｍとした。比較例９のみ、アンテナパターンのインピーダンスが５０Ω超となったが、他の比較例はいずれも５０Ω以下であった。しかしながら、比較例９〜１２のいずれもアンテナパターンの視認性は悪かった。上述の通り比較例９〜１２における線幅は、いずれも視認性が良好であるアンテナパターンの線幅の上限値２０μｍを超えているためと考えられる。
【００５７】
次にアンテナパターンの間隔を変化させたときの視認性に対する影響について評価を行った。一般にアンテナパターンの間隔を大きくするほど視認性は良好となるが、大きくしすぎると電力効率が悪くなることが知られている。したがって電力効率についても併せて評価を行った。その結果を表２に示す。
【００５８】
【表２】
2017175338.tif 000004
表２は表１中の実施例２についてアンテナパターンの間隔のみを１００〜７００μｍまで変化させた結果を示している。電力効率が良好であったものは〇印、若干劣るものを△印とした。なお、アンテナパターンのインピーダンスは長さ、線幅、厚さ、比抵抗で定まり、実施例２−１〜２−４、比較例１３、１４はいずれもインピーダンスは５０Ω以下である。
【００５９】
比較例１３は実施例２と比較してアンテナパターンの間隔を狭めて１００μｍとした例である。比較例１３ではアンテナパターンの視認性は良好ではなく、アンテナパターンの間隔２００〜４００μｍよりも若干劣った。
【００６０】
実施例２は表１にも記載した通りアンテナパターン２４の間隔が２００μｍの場合であり、視認性、電力効率ともに良好であった。
【００６１】
実施例２−１〜２−４は、実施例２よりアンテナパターン２４の間隔を変化させた例であり、間隔は順に３００μｍ、４００μｍ、５００μｍ、６００μｍとなっている。実施例２−１〜２−４についてもアンテナパターン２４の視認性、電力効率は良好であった。
【００６２】
比較例１４は、実施例２よりアンテナパターンの間隔を７００μｍに変化させた例である。比較例１４ではアンテナパターンの視認性は良好であったが、電力効率は、アンテナパターンの間隔２００〜４００μｍよりも若干劣った。
【００６３】
以上の結果より、アンテナパターン２４の視認性を良好とし、かつ、最大負荷持のインピーダンスを５０Ω以下とするアンテナパターンの長さは２００〜５００ｍｍ、アンテナパターンの間隔は２００〜４００μｍ、線幅は４〜２０μｍとすることが望ましい。また、アンテナパターンの厚さは式（Ａ）を元に求める。
【００６４】
以上のように、本実施の形態に係る導電性フィルム１１は、フィルム基材２１と、フィルム基材２１の一方の面に良導電性を有する金属によりパターン形成された近距離無線通信用のアンテナパターン２４と、を有し、アンテナパターン２４が、各両端部がフィルム基材２１の端縁に位置し、中心に空きエリア２４ａを有するように空きエリア２４ａの周囲を取り巻く複数の線状ループとして形成された導電性フィルム１１において、アンテナパターン２４は良導電性を有する金属により形成され、アンテナパターン２４は、長さが２００〜５００ｍｍであり、隣り合う各ループ線２５ａ〜２５ｅ間の間隔は２００〜４００μｍであり、線幅は４〜２０μｍであり、かつ、最大負荷持のインピーダンスが５０Ω以下となるよう厚さが下記数式（１）により算出される値に設定されている。
厚さ＝比抵抗×長さ／（インピーダンス×幅）・・・式（１）
【００６５】
この構成により、アンテナパターン２４は良導電性を有する金属で形成され、厚さは、インピーダンスが５０Ω以下となるよう設定される。また、アンテナパターン２４は、３周から５周のループ線に形成され、長さが２００〜５００ｍｍであり、隣り合う各ループ線間の間隔は２００〜４００μｍであり、線幅は４〜２０μｍである。したがって、導電性フィルム２１に設けられたアンテナパターン２４のインピーダンスを抑制しつつ、視認性を向上させることができる。
【００６６】
また、フィルム基材２１がアンテナパターン２４に対応する大きさに形成され、かつフィルム基材４１ａ〜４１ｃにアンテナパターン４２ａ〜４２ｃが設けられてなる複数の導電性フィルム１１ａ〜１１ｃが、アンテナパターン４２ａ〜４２ｃが一致するように複数枚積層されてなり、かつ、アンテナパターンの厚さに積層数を掛けた合計の厚さが最大負荷時のインピーダンスが５０Ω以下となる厚さに設定されるよう構成してもよい。この構成により、各フィルム基材４１ａ〜４１ｃのアンテナパターンの厚さの自由度を向上させることができる。
【００６７】
また、アンテナパターン５０、５１、５２のように各ループ線２５ａ〜２５ｅがなす形状は四角形、三角形、または円形のいずれかの形状であるよう構成してもよい。この構成により、タグ側の形状にあわせたアンテナパターンの選択が可能となる。
【００６８】
２枚の導電性フィルムを積層してなる導電性フィルム８０において、一方の導電性フィルム７３にアンテナパターン７５が形成され、他方の導電性フィルム７２に他の複数のアンテナが形成されるよう構成してもよい。この構成により、導電性フィルム２１の製造自由度を向上させることができる。
【００６９】
また、タッチパネル１０は、導電性フィルム１１の他方の面に、Ｘ方向およびＹ方向のタッチ位置を検出するための電極パターン２３が設けられ、他方の面にカバーパネル２２が重ねられるよう構成してもよい。この構成により、導電性フィルム１１が１枚の簡単な構造になり、製造工程を簡略化できるので製造コストを低減できる。
【００７０】
また、タッチパネル１０は、導電性フィルム８０が別の導電性フィルム７２と導電性フィルム７３をさらに有し、Ｘ方向のタッチ位置およびＹ方向のタッチ位置を検出する一対の電極パターン７４が別の導電性フィルム７２の両面に分配して設けられ、別の導電性フィルム７２が、導電性フィルム７２のアンテナパターン７５が形成された面とは反対側の面に重ねられ、さらにカバーパネル７１が別の導電性フィルム７２に重ねられているよう構成した。
【００７１】
この構成により、一対の電極パターン７４を両面に分配して設けることができるので、片面に設ける場合に比べて各電極パターンを簡単な構成にすることができる。
【００７２】
なお、本発明に係る導電性フィルムおよびタッチパネルの技術的範囲は、上述した実施の形態に限定されるものではなく、特許請求の範囲に記載した各構成要素の種々の変更を含むものである。
【００７３】
以上説明したように、本発明に係る導電性フィルムおよびタッチパネルは、導電性フィルムに設けられたアンテナパターンのインピーダンスを抑制しつつ、視認性を向上させることができるという効果を有し、導電性フィルム全般に有用である。
【符号の説明】
【００７４】
１０、６０、８１  タッチパネル
１１、１１ａ、１１ｂ、１１ｃ  フィルム基材（導電性フィルム）
２０  センサーパネル
２１ａ、２１ｂ、２１ｃ  フィルム基材（導電性フィルム）
２２、７１  カバーパネル
２３、７４  電極パターン
２４、４２ａ、４２ｂ、４２ｃ  アンテナパターン
２４ａ  空きエリア
２４ｂ、２４ｃ  アンテナの両端部
２５ａ、２５ｂ、２５ｃ、２５ｄ、２５ｅ  ループ線（線状ループ）
２６  フレキシブルプリント配線板
２９  ループアンテナ
３０  巻き数設定回路
４０  制御部
４１ａ、４１ｂ、４２ｃ  フィルム基材（導電性フィルム）
５０、５１、５２、６４、７５  アンテナパターン
５０ａ  円形の空きエリア
５１ａ  三角形の空きエリア
５２ａ  菱形の空きエリア
５３  タッチ操作有効範囲
６１、７２、７３、８０  フィルム基材（導電性フィルム）
７６  ブルートゥース用アンテナパターン
７７  方向検知用センサーパターン
【図１】
2017175338.tif 000005
【図２】
2017175338.tif 000006
【図３】
2017175338.tif 000007
【図４】
2017175338.tif 000008
【図５】
2017175338.tif 000009
【図６】
2017175338.tif 000010
【図７】
2017175338.tif 000011
【図８】
2017175338.tif 000012